(57)【要約】      （修正有）【課題】消臭、抗菌、ホルムアルデヒド中和分解などの機能を有するうえ、血色がよく健康的に映る鏡を提供する。【解決手段】ガラス基材２と、ガラス基材２の一方面に設けられた銀膜からなる反射膜３とを備えた鏡１において、ガラス基材２が白板ガラスからなり、空気中の水成分を放射性分解する放射性物質を混合したバインダーからなる機能層５を、鏡面と反対側の裏面の少なくとも一部に有する。【選択図】図２
0003212554.tif 000002
【実用新案登録請求の範囲】
【請求項１】
ガラス基材と、前記ガラス基材の一方面に設けられた反射膜とを備えた鏡において、
前記ガラス基材が白板ガラスからなり、
空気中の水成分を放射性分解する放射性物質を混合したバインダーからなる機能層を、鏡面と反対側の裏面の少なくとも一部に有する鏡。
【請求項２】
前記反射膜が銀膜からなる請求項１に記載の鏡。
【請求項３】
前記機能層は、前記放射性物質と遠赤外線発生物質とが混合されたバインダーからなる請求項１又は２に記載の鏡。
【考案の詳細な説明】
【技術分野】
【０００１】
この考案は、鏡に関し、特に、消臭、抗菌、ホルムアルデヒド中和分解などの機能を有する鏡に関する。
【背景技術】
【０００２】
この種の鏡としては、例えば特許文献１に記載の鏡が提案されている。特許文献１に記載の鏡は、空気中に含まれる水成分を放射性分解により、水素ラジカルやヒドロキシルラジカルなどに分解し、その働きにより消臭、抗菌、ホルムアルデヒドの中和分解などの機能を実現している。
【先行技術文献】
【特許文献】
【０００３】
【特許文献１】登録実用新案公報第３１７２００９号
【考案の概要】
【考案が解決しようとする課題】
【０００４】
鏡は、ガラス基材に青板ガラス（ソーダガラス）を用いるのが一般的である。しかし、青板ガラスを用いた鏡では、映し出される顔などの色合いが青っぽい色となるのが実情であり、顔が青っぽく映ったのでは、血色が悪く不健康そうに見えるため、特に高齢者、病弱者、要介護者などが使用すると、気持ちが下がる要因になる。
【０００５】
本考案は、上記課題に着目してなされたもので、消臭、抗菌、ホルムアルデヒド中和分解などの機能を有するうえ、血色がよく健康的に映る鏡を提供することを目的とする。
【課題を解決するための手段】
【０００６】
本考案による鏡は、ガラス基材と、前記ガラス基材の裏面に設けられた反射膜とを備え、前記ガラス基材が白板ガラスからなり、空気中の水成分を放射性分解する放射性物質を混合したバインダーからなる機能層を、鏡面とは反対側の裏面の少なくとも一部に有する。
【０００７】
上記構成の鏡においては、前記反射膜が銀膜からなることが好ましい。
【０００８】
また、上記構成の鏡においては、前記機能層は、前記放射性物質と遠赤外線発生物質とが混合されたバインダーからなることが好ましい。
【考案の効果】
【０００９】
本考案の鏡によれば、消臭、抗菌、ホルムアルデヒド中和分解などの機能を有するうえ、映し出される顔などの色合いが赤っぽい色（赤味、ピンク）となるので、血色がよく健康的に映すことができる。
【図面の簡単な説明】
【００１０】
【図１】鏡の背面図（裏面から見た図）である。
【図２】鏡の断面図である。
【図３】白板ガラス及び青板ガラスを用いた鏡の光の反射率を示すグラフである。
【図４】図３の一部分の拡大図である。
【考案を実施するための形態】
【００１１】
以下、本発明に係る鏡の実施形態について図面を参照しつつ説明する。図１は、鏡１の背面図を示し、図２は鏡１の断面図を示す。鏡１は、ガラス基材２と、反射膜３とを備える構成のガラス鏡である。鏡の外形は、角形、丸形、楕円形など、種々の形とすることができる。
【００１２】
ガラス基材２は、白板ガラスからなる。白板ガラスは従来から公知のものを用いることができるが、例えば日本板硝子株式会社製の白板ガラスを好ましく用いることができる。白板ガラスは、青板ガラス（ソーダガラス）と比べて透明度が高く、よって、白板ガラスを用いた鏡は、原色を損なうことなく顔などの対象物を明るく映し出すことができる。
【００１３】
さらに、白板ガラスは、青板ガラスと比べて、鏡に用いた場合の光反射率が優れている。図３及び図４は、それぞれ、白板ガラスを用いた鏡及び青板ガラスを用いた鏡の光反射率を測定した結果である。測定に用いた白板ガラスは日本板硝子株式会社製の白板ガラスであり、青板ガラスはセントラル硝子株式会社製の青板ガラスである。白板ガラス及び青板ガラスともに一方面に銀膜（反射膜）を設けて鏡（白板銀鏡及び青板銀鏡）とした。
【００１４】
光反射率は、日本分光株式会社製の「紫外可視赤外分光光度計  型番Ｖ−６７０」を用いて、３００ｎｍ〜２５００ｎｍの波長域における２つの鏡の光反射率を測定した。
【００１５】
図３及び図４によると、白板ガラスを用いた鏡は、可視光線のほぼ全域（波長が約３８０ｎｍ〜７８０ｎｍ）について、光反射率が高く、各波長（各色）の可視光線が良好に反射しているのに対して、青板ガラスを用いた鏡は、波長が約６００ｎｍ以上の可視光線（赤色の可視光線）の光反射率が低く、赤色の可視光線が他の色の可視光線よりも多くカットされて反射されないことが分かる。
【００１６】
このように、白板ガラスは、青板ガラスと比べて、鏡に用いた場合の光反射率が優れており、赤色の可視光線が良好に反射するので、白板ガラスを用いた鏡は、映し出される顔などの対象物の色合いが赤っぽい色（赤味、ピンク）となる。よって、顔などの対象物を血色がよく健康的に映し出すことができる。
【００１７】
反射膜３は、入射する光を反射させるために設けられる膜であり、ガラス基材２の一方面（鏡１の裏面側）に設けられる。反射膜３は、例えばアルミニウム、銀、銀合金などの金属膜からなる。この中でも、反射膜３を銀膜とすることで、アルミニウム膜よりも安価に鏡の光の反射率を９０％程度とすることができるので、好ましい。このような金属からなる反射膜３は、蒸着法、スパッタリング法、ＣＶＤ法、イオンプレーティング法、イオンビーム照射法、スプレーコート法など、各種の薄膜形成法により形成することができる。
【００１８】
反射膜３のガラス基材２とは反対側（鏡１の裏面側）の面には、保護膜４が設けられている。保護膜４は、例えばメラミンアルキッド系樹脂などの樹脂塗料を塗布することで形成することができる。なお、反射膜３と保護膜４との間に、樹脂塗料を良好に塗布するために例えば銅膜などを設けてもよい。
【００１９】
鏡１の鏡面とは反対側の裏面、つまりは、保護膜４の反射膜３とは反対側の面には、機能層５が設けられている。機能層５は、微弱な放射線を放射して空気中に含まれる水成分（Ｈ２Ｏ）を放射性分解により水素ラジカルやヒドロキシルラジカルなどに分解して、以下の化学式で表されるような、消臭、抗菌、ホルムアルデヒドの中和分解などを実現する。
【００２０】
消臭（アンモニア）
ＮＨ３＋６０Ｈラジカル→Ｎ２＋６Ｈ２Ｏ
抗菌
ＯＨラジカル＋ＯＨラジカル→Ｈ２Ｏ２
ホルムアルデヒドの中和分解
ＨＣＨＯ＋ＯＨラジカル→ＣＯ２＋ＣＨ３ＯＨ
ホルムアルデヒドの中和分解
ＨＣＨＯ＋Ｈラジカル→ＣＨ３ＯＨ
【００２１】
機能層５は、微弱な放射線を放射する放射性物質が混合されたバインダーを鏡１の裏面に塗布して乾燥することにより形成される。バインダーには、さらに、遠赤外線を放射する遠赤外線物質を混合することもできる。遠赤外線物質が機能層５に含まれると、放射性物質から放射される放射線のエネルギーにより遠赤外線物質が励起され、遠赤外線物質からより多くの遠赤外線を放射することができる。
【００２２】
微弱な放射線を発生させる放射性物質としては、例えばレアアース鉱石を用いることができ、その中でも、トリウムやウランを含む放射性鉱物、例えばモナザイト、パイロクロア、ゼノタイムなどを好ましく挙げることができる。
【００２３】
遠赤外線を放射する遠赤外線物質としては、例えばセラミックス材料を用いることができ、セラミックス材料としては、例えば、ジルコン、ジルコニア、アルミナ、シリカなどを好ましく挙げることができる。
【００２４】
放射性物質及び遠赤外線物質は、例えばボールミルなどを使用した湿式混合粉砕により原材料を粉砕して混合し、次いで焼成することによって焼結した焼結体を再び細かく粉砕することによって得られる混合粉体の状態で、バインダーに均一に混合される。なお、粉体を繰り返し混合し焼成して粉砕することが好ましい。これにより、放射性物質及び遠赤外線物質がより均一に分散された混合粉体とすることができる。なお、混合粉体としては、粒径が平均で０．０４μｍ以上０．８μｍ以下であることが好ましい。バインダーとしては、ケイ酸ソーダーやセメントなどの無機系接着剤、天然接着剤、樹脂系の多くが属する有機系接着剤を用いることができる。バインダーは、例えば、放射性物質及び遠赤外線物質の混合粉体５０重量部に対して、３０〜５０重量部を混合する。
【００２５】
機能層５は、鏡１の裏面の全域にまんべんなく設けてもよいが、それよりも、鏡１の裏面の一部にだけ設ける方が好ましく、鏡１の大きさに合わせて、裏面の面積の１／９〜１／１０の大きさとすることができる。これにより、機能層５からより多くの放射線を放射させることができる。本実施形態では、鏡１の裏面の縦横をそれぞれ３分割してできる９個の区画の中央の区画に機能層５が設けられている。
【００２６】
上述した構成の鏡１によると、ガラス基材２が白板ガラスよりなるので、原色を損なうことなく顔などの対象物を明るく映し出すことができるうえ、映し出される顔などの対象物の色合いが赤っぽい色（赤味、ピンク）となる。よって、顔などの対象物を血色がよく健康的に映し出すことができるため、特に高齢者、病弱者、要介護者などが使用した場合に、自分の体調がよく見え、気持ちを向上させることができる。
【００２７】
また、機能層５の働きにより、鏡１を置いている部屋内を、消臭、抗菌、ホルムアルデヒド中和分解など、浄化することができる。
【００２８】
この鏡１の用途は、幅広く、ホテルや家庭の部屋、洗面所、トイレ、化粧台などの鏡、その他にも手鏡など、多くの分野で用いることができる。
【００２９】
以上、本発明の一実施形態について説明したが、本発明は上記実施形態に限定されるものではなく、その趣旨を逸脱しない限りにおいて、種々の変更が可能である。
【符号の説明】
【００３０】
１    鏡
２    ガラス基材
３    反射膜
５    機能層
【図１】
0003212554.tif 000003
【図２】
0003212554.tif 000004
【図３】
0003212554.tif 000005
【図４】
0003212554.tif 000006